(57)【特許請求の範囲】
【請求項１】
交換機と、前記交換機に接続された少なくとも１以上の基地局と、前記基地局と無線通信を行う、第１の時刻を保持する少なくとも１の無線子機とからなる無線通信システムであって、
前記交換機は、
時刻と、前記時刻の配信対象である少なくとも１の前記基地局の基地局識別情報と、前記基地局をグループとして管理するグループ情報と、を含む時刻情報を複数保持する第１の時刻情報保持手段と、
前記時刻情報を前記基地局へ配信する第１の時刻情報配信手段と、を有し、
前記基地局は、
前記交換機から配信される前記時刻情報を受信する第１の時刻情報受信手段と、
受信した前記時刻情報を保持する第２の時刻情報保持手段と、
保持した前記時刻情報を前記無線子機へ報知する第２の時刻情報配信手段と、
該基地局の時刻を補正する第１の時刻情報管理手段と、を有し、
前記無線子機は、
前記複数の時刻情報に含まれるグループ情報のうち少なくとも１のグループ情報を予め保持するグループ情報保持手段と、
前記基地局から報知される前記時刻情報を受信する第２の時刻情報受信手段と、
受信した前記時刻情報を保持するか否かを判定する第２の時刻情報管理手段と、
前記第２の時刻情報管理手段の判定に応じて受信した前記時刻情報を保持する第３の時刻情報保持手段と、を有し、
前記交換機は、前記第１の時刻情報配信手段が、前記第１の時刻情報保持手段にて保持される前記複数の時刻情報のうち前記配信対象の基地局に該当する前記基地局識別情報を含む前記時刻情報を前記配信対象の基地局へ配信し、
前記基地局は、
前記第１の時刻情報受信手段が、前記交換機から配信された前記時刻情報を受信し、
前記第２の時刻情報保持手段が、受信した前記時刻情報を保持すると、
前記第１の時刻情報管理手段が、保持した前記時刻情報に含まれる前記時刻を用いて該基地局の時刻を補正し、
前記第２の時刻情報配信手段が、保持した前記時刻情報を前記無線子機へ報知し、
前記無線子機は、
前記第２の時刻情報受信手段が、待受け状態で前記基地局から報知された前記時刻情報を受信し、
前記第２の時刻情報管理手段が、受信した前記時刻情報に含まれる前記グループ情報と、前記グループ情報保持手段に予め保持される前記グループ情報とを比較し、
一致する場合は、受信した前記時刻情報を前記第３の時刻情報保持手段にて保持するとともに、保持した前記時刻情報に含まれる前記時刻を第２の時刻として保持することを特徴とする無線通信システム。
【請求項２】
請求項１に記載の無線通信システムにおいて、
前記交換機にて保持される前記時刻情報は、前記無線子機に所定の処理を行わせる情報をさらに含むことを特徴とする無線通信システム。
【請求項３】
請求項２に記載の無線通信システムにおいて、
前記無線子機は、表示部をさらに有し、
前記所定の処理を行わせる情報は、前記無線子機が保持した前記第２の時刻を前記表示部へ表示させるか否かの情報であることを特徴とする無線通信システム。
【請求項４】
請求項１に記載の無線通信システムにおいて、
前記交換機にて保持される前記時刻情報は、通話中状態の前記無線子機に対して前記時刻情報を通知する無線子機識別情報をさらに含み、
前記交換機は、前記無線子機識別情報に該当する通話中状態の前記無線子機へ前記時刻情報を通知することを特徴とする無線通信システム。
【請求項５】
少なくとも１の基地局を収容する交換機において、
時刻と、前記時刻の配信対象である前記基地局の基地局識別情報と、前記基地局をグループとして管理するグループ情報とを含む時刻情報を複数保持する時刻情報保持手段と、
前記グループごとに前記配信対象の基地局に該当する前記基地局識別情報を含む前記時刻情報を前記配信対象の基地局へ配信する時刻情報配信手段と、を有することを特徴とする交換機。
【請求項６】
請求項５に記載の交換機において、
前記交換機は、前記基地局を介して無線子機と通信し、
前記時刻情報保持手段にて保持される前記時刻情報は、通話中状態の前記無線子機に対して前記時刻情報を通知する無線子機識別情報をさらに含み、
前記時刻情報配信手段が、前記無線子機識別情報に該当する通話中状態の前記無線子機へ前記時刻情報を通知することを特徴とする交換機。
【請求項７】
基地局を介して交換機と無線通信を行う、第１の時刻を保持する無線子機において、
該無線子機が属するグループのグループ情報を保持するグループ情報保持手段と、
時刻と、前記時刻を使用する前記グループのグループ情報を含む時刻情報を受信する時刻情報受信手段と、
受信した前記時刻情報を保持するか否かを判定する時刻情報管理手段と、
前記時刻情報管理手段の判定に応じて受信した前記時刻情報を保持する時刻情報保持手段と、を有し、
前記時刻情報管理手段は、受信した前記時刻情報に含まれる前記グループ情報と前記グループ情報保持手段に予め保持される前記グループ情報とを比較し、
一致する場合は、受信した前記時刻情報を前記時刻情報保持手段にて保持するとともに、保持した前記時刻情報に含まれる前記時刻を第２の時刻として保持することを特徴とする無線子機。
【請求項８】
請求項７に記載の無線子機において、
表示部をさらに有し、
前記時刻情報管理手段は、保持した前記第２の時刻を前記表示部へ表示させるか否かを判定することを特徴とする無線子機。
【発明の詳細な説明】
【技術分野】
【０００１】
本発明は、携帯電話やＰＨＳなどの無線通信システムで使用する無線子機の時刻合わせ制御に関するものである。
【背景技術】
【０００２】
本技術分野の背景技術として、特開２００６−３３０７２号公報（特許文献１）がある。この公報には、「〜携帯端末が内蔵する時刻表示を、正確な時刻（標準時刻）表示に自動的に修正する時刻データ取得方法を提供〜」、「ユーザは、時刻修正のための特別の操作をすることなく、携帯端末内部の時刻表示を正確な時間に自動的に修正可能〜」と記載されており、これらの技術は、携帯電話やＰＨＳ（Ｐｅｒｓｏｎａｌ  Ｈａｎｄｙｐｈｏｎｅ  Ｓｙｓｔｅｍ）などの無線通信システムで使用される携帯端末では、端末毎に時刻情報を設定して利用したり、無線通信システムの上位装置が保持する時刻情報を接続される携帯端末に一元管理的に強制的に送信し、すべての携帯端末の時刻情報を一致させる方法である。
【０００３】
一方、特開２００７−２３２５６９号公報（特許文献２）がある。この公報には、「〜標準時刻表示と数分進めるなどの補正した時刻の表示との両方を行うことができる電波時計を提供〜」と記載されており、上位装置側で時刻情報のズレ（進めたり、遅めたり）と正確な情報を提供できるものである。
【先行技術文献】
【特許文献】
【０００４】
【特許文献１】特開２００６−３３０７２号公報
【特許文献２】特開２００７−２３２５６９号公報
【発明の概要】
【発明が解決しようとする課題】
【０００５】
特開２００６−３３０７２号公報（特許文献１）による従来の技術においては、各々端末独自に管理される時刻情報のズレやバラツキを補完することはできるが、無線子機上で意図的に時刻情報をずらして運用していた場合（例えば、企業内などで５分前行動のために進めていたり、サマータイム制やウィンタータイム制の導入などにより、１〜数時間進めたり、逆に遅らせたりする場合など）には、正確な時刻情報に一致させることは無操作で実現可能であるが、その後、無線子機毎にあらためて時刻情報を設定し直す行為が必要であった。
【０００６】
さらに、無線子機の機能設定により時刻情報を上位装置管理の時刻情報と一致させないような機能設定をすることができるが、この場合、長時間経過後は、無線子機のハードウェアの精度により分秒のズレが生じるため、いずれにせよ時刻情報の再設定行為が不可欠であった。
【０００７】
また、特開２００７−２３２５６９号公報（特許文献２）による従来の技術においては、電波時計による広範囲的なサービスの提供となり、オフィスなどのフロア単位や部署単位の平面的に狭い範囲での提供、および電波時計を受信できない地下街や地下工事現場など立体的な空間に対して時刻情報を提供することができない。
【０００８】
さらに、電波時計では、狭い範囲での複数時刻情報（早めたり、遅めたり）を提供することができないことに加えて、無線子機内部に電波時計の受信装置を搭載することが必須となり、端末のハードウェア構成上部品数が増え、小型化低価格化に限界があった。
【０００９】
さらに、時刻情報のズレを補正すること、すなわち時刻情報を複数の無線子機で共有するということは、システムで時刻情報を管理することが目的であるが、従来の技術では、システムを細分化した範囲、例えばエリア毎の管理（空間的場所毎の時刻管理）や無線子機単位の時刻管理ができなかった。
【００１０】
本発明は、上記の従来技術の課題を解消し、複数の時刻情報を無線子機に提供することを目的とする。
【課題を解決するための手段】
【００１１】
前述の課題を解決するために、例えば特許請求の範囲に記載の構成を採用する。本願は、上記課題を解決する手段を複数含んでいるが、その一例を挙げるならば、少なくとも１の基地局を収容する交換機において、時刻と、時刻の配信対象である基地局の基地局識別情報と、基地局をグループとして管理するグループ情報とを含む時刻情報を複数保持する時刻情報保持手段と、グループごとに配信対象の基地局に該当する基地局識別情報を含む時刻情報を配信対象の基地局へ配信する時刻情報配信手段とを有することを特徴とする。  
【発明の効果】
【００１２】
本発明によると、一時的に特定の範囲内に存在する無線子機を保持するユーザに対して、無線子機に設定されている時刻情報とは別に、任意の時刻情報を無線子機に通知することができ、また、無線子機の時刻情報を更新および表示設定することができる。
【図面の簡単な説明】
【００１３】
【図１】無線通信システムの一例を示すシステム構成図である。
【図２】無線通信システムに使用する構内交換機の一例を示すブロック構成図である。
【図３】無線通信システムに使用する無線基地局の一例を示すブロック構成図である。
【図４】無線通信システムに使用するＰＨＳ無線子機の一例を示すブロック構成図である。
【図５】構内交換機が保持する時刻情報通知リストの一例である。
【図６】構内交換機から無線基地局へ通知される時刻情報通知メッセージのコーディングの一例である。
【図７】無線基地局が保持する時刻情報通知リストの一例である。
【図８】無線基地局から待受け状態のＰＨＳ無線子機へ報知される時刻情報通知メッセージの第一フレームのメッセージコーディングの一例である。
【図９】無線基地局から待受け状態のＰＨＳ無線子機へ報知される時刻情報通知メッセージの第二フレームのメッセージコーディングの一例である。
【図１０】無線基地局から通話中状態のＰＨＳ無線子機へ通知される時刻情報通知メッセージのコーディングの一例である。
【図１１】時刻情報通知メッセージを構成する時刻情報データのメッセージコーディングの一例である。
【図１２】時刻情報通知メッセージをＰＨＳ無線子機に報知する無線基地局の動作フローチャート図の一例である。
【図１３】ＰＨＳ無線子機が保持する時刻情報テーブルの一例である。
【図１４】待受け状態のＰＨＳ無線子機が無線基地局からの時刻情報通知メッセージを受信し表示する動作フローチャート図の一例である。
【図１５】構内交換機が待受け状態のＰＨＳ無線子機へ無線基地局を介して時刻情報通知メッセージを通知するシーケンス図の一例である。
【図１６】ＰＨＳ無線子機が時刻情報の表示を切り替える動作フローチャート図の一例である。
【図１７】通話中状態のＰＨＳ無線子機が無線基地局からの時刻情報を受信し表示する動作フローチャート図の一例である。
【図１８】ＰＨＳ無線子機が通話終了時、切断するときに時刻情報通知メッセージを通知されるシーケンス図の一例である。
【図１９】ＰＨＳ無線子機が通話終了時、通話相手側が切断するときに時刻情報通知メッセージを通知されるシーケンス図の一例である。
【図２０】複数階に立体的に存在するビル内に無線通信システムを構築した一例である。
【図２１】平面的な空間に無線通信システムを構築した一例である。
【発明を実施するための形態】
【００１４】
図１は、無線通信システムの一例を示すシステム構成図である。具体例として、社団法人電波産業会（ＡＲＩＢ）標準「第二世代コードレス電話システム標準規格（ＲＣＲ  ＳＴＤ−２８）」で実現される事業所用ＰＨＳに本発明を適用して説明する。ただし、本発明の実施形態は、事業所用ＰＨＳに限定されず、公衆用ＰＨＳおよび家庭用ＰＨＳにも適用できる。
【００１５】
上記無線通信システムは、回線交換および無線制御用構内交換機（Ｐｒｉｖａｔｅ  Ｂｒａｎｃｈ  ｅＸｃｈａｎｇｅ）（以下、「ＰＢＸ」と称する）１００、複数の無線基地局１０１〜１０３、ＰＨＳ無線子機１０４〜１０５、内線電話機１０８の内線側端末装置と、公衆通信網１０６、ならびに専用線網１０７を収容した構成であり、各端末装置間の通信を実現する。なお、構内交換機（ＰＢＸ）１００には時刻情報データや制御データ等の各種データを投入および保守制御を行うための保守用端末１０９が接続されている。また、無線基地局１０１〜１０３は構内交換機（ＰＢＸ）１００と有線ケーブルで接続され、ＰＨＳ無線子機１０４〜１０５とは電波により無線通信する。当然に無線基地局およびＰＨＳ無線子機の台数はこれらに限られるものではない。
【００１６】
図２は、図１の無線通信システムを構成し、制御する構内交換機（ＰＢＸ）１００の一例を示すブロック構成図である。
【００１７】
この構内交換機（ＰＢＸ）１００は、回線（公衆網１０６の局線や専用線網１０７の専用線等）や電話端末（一般のアナログ電話機やデジタル多機能電話機、ＰＨＳ（Ｐｅｒｓｏｎａｌ  Ｈａｎｄｙｐｈｏｎｅ  Ｓｙｓｔｅｍ）端末等）の回線交換を行う通話路スイッチ２００、公衆網の回線を収容する局線トランク２０１、専用線網の回線を収容する専用線トランク２０２、内線電話機を収容する内線回路２０３、無線基地局を収容する基地局トランク２０４〜２０６が接続されており、本装置を制御するための制御部２０７、入出力部２１０、記憶部２１１を装備している。
【００１８】
また、制御部２０７には、時刻情報管理部２０８と時刻情報配信部２０９が含まれる。記憶部２１１には、時刻情報保持部２１２が含まれる。
【００１９】
ここで、内線回路２０３は、複数台の内線電話機を接続し、これらを制御（発信、着信制御等）して、構内交換機（ＰＢＸ）１００との呼接続処理を行うものであり、基地局トランク２０４〜２０６は、複数台の無線基地局を接続し、これを制御（発信、着信、メッセージ送受信制御等）して、構内交換機（ＰＢＸ）１００との呼接続処理を行うものである。また、局線トランク２０１は公衆網の回線を接続し、これを制御（発信、着信制御等）して、構内交換機（ＰＢＸ）１００との呼接続処理を行うものであり、専用線トランク２０２は、他の自営網などの専用線の回線を接続し、これを制御（発信、着信制御等）して、構内交換機（ＰＢＸ）１００との呼接続処理を行うものである。
【００２０】
なお、構内交換機（ＰＢＸ）１００が装備している制御部２０７は、構内交換機（ＰＢＸ）１００の全体を統制・制御して呼接続制御を行い、構内交換機（ＰＢＸ）１００が提供する機能（電話接続サービスや時刻情報通知サービス）および運用・保守管理を実現する。そして、時刻情報管理部２０８は、構内交換機（ＰＢＸ）１００システム内の標準時刻（正規時刻）や無線基地局毎に任意の時刻（ダミー時刻）を設定して、配信する時刻情報データの管理、後述する時刻情報通知リストの管理、制御を行う。時刻情報配信部２０９は、時刻情報通知リストを基にして作成された時刻情報通知メッセージ（後述）を配下の無線基地局１０１〜１０３へ配信し、また、通話中のＰＨＳ無線子機１０４〜１０５へ通知する。
【００２１】
また、制御バスを介して、記憶部２１１が接続されており、記憶部２１１には制御部２０７が時刻情報通知サービスを行うためのプログラムや、回線交換や呼接続制御を行うためのシステム設定等、動作条件、機能条件、動作状態等の局データ（各種テーブル）が格納されている。
【００２２】
そして、ＰＨＳ無線子機１０４〜１０５へ通知する時刻情報を含む時刻情報データは、時刻情報通知リスト（後述）として時刻情報保持部２１２に格納される。
なお、記憶部２１１はＲＯＭ、ＲＡＭ、フラッシュメモリ、磁気記憶ディスク、光ディスクなどから構成される。
【００２３】
さらに、制御バスには、構内交換機（ＰＢＸ）１００の動作に必要な前記局データを設定するために用いられている端末装置である保守用端末１０９を接続するための入出力部２１１が接続されており、構内交換機（ＰＢＸ）１００の使用にあたり、使用条件等に応じて保守用端末１０９から記憶部２１１に対して局データや時刻情報データを随時設定、更新できる。そのため、運用中でもリアルタイムで無線基地局１０１〜１０３へ変更されたデータを反映することができる。
【００２４】
ここで、時刻情報管理部２０８の動作について説明する。構内交換機（ＰＢＸ）１００には、回線交換制御を実現するために内蔵クロック（図示せず）が制御部２０７に搭載されており、この内蔵クロックを基に構内交換機（ＰＢＸ）１００内で生成した時刻情報から日付情報を算出して、構内交換機（ＰＢＸ）１００内で運用されるとともに、本時刻情報とは別に複数の任意時刻を保守用端末１０９で設定して時刻情報通知リスト（後述）として時刻情報管理部２０８で管理して運用している。
【００２５】
また、この時刻情報管理部２０８は、時刻情報通知リスト（後述）に設定された複数の任意の時刻情報を初期値として、内蔵クロックを基にして各々の時刻が進む処理（各々の時刻で時を刻み続ける）を行っている。
【００２６】
なお、構内交換機（ＰＢＸ）１００内で運用される時刻情報を全ての無線基地局１０１〜１０３に対して配信することにより、構内交換機（ＰＢＸ）１００配下の全てのＰＨＳ無線子機１０４〜１０５の時刻を一致させる、すなわち時刻補正を行うことが可能になる。
【００２７】
図３は、図１の無線通信システムを構成する構内交換機（ＰＢＸ）１００に接続される無線基地局の一例を示すブロック構成図である。
【００２８】
無線基地局１０１〜１０３は、アンテナ３０１〜３０２、無線部３０３、モデム部３０８、ＴＤＭＡ処理部３０９、回線インタフェース部３１０、制御部３１１、記憶部３１５を装備している。
【００２９】
そして、無線部３０３は、アンテナ切替部３０４、受信部３０５、送信部３０６、シンセサイザ部３０７から構成されている。制御部３１１は、無線基地局１０１〜１０３全体の制御を行っており、構内交換機（ＰＢＸ）１００からの時刻情報データを受信する時刻情報受信処理部３１２、構内交換機（ＰＢＸ）１００から受信した時刻情報の内容を解析し、ＰＨＳ無線子機１０４〜１０５へ配信する時刻情報データの更新判定を行う時刻情報管理部３１３、ＰＨＳ無線子機１０４〜１０５への時刻情報データを配信する時刻情報配信処理部３１４が含まれる。そして、記憶部３１５には、無線通信サービスを実現する動作プログラムや、ＰＨＳ無線子機１０４〜１０５との無線通信条件、通信状態等の情報が格納されている。また、記憶部３１５には時刻情報保持部３１６が含まれており、受信した時刻情報データは時刻情報通知リスト（後述）として時刻情報保持部３１６に格納される。
【００３０】
なお、記憶部３１５はＲＯＭ、ＲＡＭ、フラッシュメモリ、磁気記憶ディスク、光ディスクなどから構成される。
【００３１】
アンテナ３０１〜３０２は切替部３０４にて送受信部を切り替えて使用されるとともに、受信時はダイバーシティ制御をするものである。受信部３０５を経て、モデム部３０８より復調された受信信号はＴＤＭＡ処理部３０９より連続する受信データとして回線インタフェース部３１０を経て、構内交換機（ＰＢＸ）１００の基地局トランク２０４〜２０６に送信される。これとは逆に構内交換機（ＰＢＸ）１００から連続する送信信号は基地局トランク２０４〜２０６から送信され、回線インタフェース部３１０を介してＴＤＭＡ処理部３０９に送信される。ＴＤＭＡ処理部３０９では、連続する送信データをバースト状のデータに変換し、モデム部３０８にて変調し、送信部３０６を経て無線子機１０４〜１０５に対して送信される。
【００３２】
そして、ＡＲＩＢ標準  ＲＣＲ  ＳＴＤ−２８の規定に従った報知情報として制御用物理スロット上に定義可能なチャネルであるユーザ特有チャネル（Ｕｓｅｒ  Ｓｐｅｃｉｆｉｃ  Ｃｏｎｔｒｏｌ  ＣＨａｎｎｅｌ）（以下、「ＵＳＣＣＨ」と称する。）を用いて、時刻情報配信処理部３１４によってＰＨＳ無線子機１０４〜１０５に対して時刻情報データを常時報知する。このＵＳＣＣＨは規定項目を満足していれば、その使用方法は任意なオプションとなり、ユーザ独自で任意の制御チャネルとして使用できる。
【００３３】
さらに、運用中でも変更されたデータが構内交換機（ＰＢＸ）１００から配信されることにより、リアルタイムでＵＳＣＣＨにてＰＨＳ無線子機１０４〜１０５に対して報知することができる。
【００３４】
ここで、時刻情報管理部３１３の動作について説明する。無線基地局１０１〜１０３には、構内交換機ＰＢＸ（１００）およびＰＨＳ無線子機１０４〜１０５とデジタル伝送および無線通信を実現するために内蔵クロック（図示せず）が制御部３１１に搭載されており、この内蔵クロックを基に無線基地局１０１〜１０３が独自に生成した時刻を、時刻情報管理部３１３で管理して運用している。
【００３５】
図４は、図１の無線通信システムを構成する構内交換機（ＰＢＸ）１００に収容されるＰＨＳ無線子機１０４〜１０５の一例を示すブロック構成図である。
【００３６】
ＰＨＳ無線子機１０４〜１０５は、レシーバ４０１、マイク４０２、音声制御部４０３、コーデック部４０４、ＴＤＭＡ処理部４０５、モデム部４０６、無線部４０７、アンテナ４１２、操作部４１３、表示部４１４、制御部４１５、記憶部４１８、電源部４２３を装備している。
【００３７】
そして、無線部４０７は、受信部４０８、送信部４１０、シンセサイザ部４０９、アンテナ切替部４１１から構成されている。制御部４１５は、ＰＨＳ無線子機１０４〜１０５全体の制御を行う。また、制御部４１５には、無線基地局１０１〜１０３からの時刻情報データを受信する時刻情報受信処理部４１６、無線基地局１０１〜１０３から受信した時刻情報の内容を解析し、当該時刻情報データの更新判定や受信した時刻情報の表示判定処理を行う時刻情報管理部４１７が含まれている。
【００３８】
マイク４０２から入力される音声データは、音声制御部４０３を経て、コーデック部４０４にて符号化される。ＴＤＭＡ処理部４０５から無線基地局１０１〜１０３へ送信されるまでの動作と、受信した受信信号がＴＤＭＡ処理部４０５に送られるまでに動作は図３に示す無線基地局の動作と同様である。ＴＤＭＡ処理部４０５により連続するデータとなった受信信号は、コーデック４０４により復号化され、音声制御部４０３を経て、レシーバ４０１により送信される。
【００３９】
そして、記憶部４１８には、無線通信サービスを実現する動作プログラムや、ＰＨＳ無線子機１０４〜１０５の動作条件や無線基地局１０１〜１０３との通信条件、通信状態等の情報が格納されている。また、受信した時刻情報データが時刻情報テーブル（後述）として時刻情報保持部４１９に格納されるように構成されている。なお、記憶部４１８はＲＯＭ、ＲＡＭ、フラッシュメモリ、磁気記憶ディスク、光ディスクなどから構成される。  ここで、時刻情報管理部４１７の動作について説明する。ＰＨＳ無線子機１０４〜１０５には、無線基地局１０１〜１０３と無線通信を実現するために内蔵クロック（図示せず）が制御部４１５に搭載されており、この内蔵クロックを基にＰＨＳ無線子機１０４〜１０５が独自に生成した時刻を、時刻情報管理部４１７で管理して運用している。
【００４０】
図５は、図１の無線通信システムにおいて構内交換機（ＰＢＸ）１００が保持する時刻情報通知リストの一例である。この時刻情報通知リストは、保守用端末１０９から設定され、構内交換機（ＰＢＸ）１００の記憶部２１１の時刻情報保持部２１２に保持されるものである。
【００４１】
構内交換機（ＰＢＸ）１００で時刻情報通知リストとして管理される時刻情報は、時刻情報通知対象グループ５００、通知対象無線基地局５０１、状態変化５０２、メッセージ番号５０３、時刻表示種別５０４、通知時刻情報５０５、対象内線番号５０６、表示指示フラグ５０７である。
【００４２】
ここで、時刻情報通知対象グループ５００は、複数の無線基地局を空間的なエリア単位でグループ分けした際に用いられる通知グループの管理番号で、グループ００〜３１の最大３２グループに分けて運用および管理することができる。このグループ分けは、場所的な管理をする場合に無線基地局１台および複数台を任意に登録することができるものであり、登録された無線基地局は無線基地局を識別する通知対象無線基地局５０１にて管理される。
【００４３】
なお、この時刻情報通知対象グループ５００は、各ＰＨＳ無線子機にあらかじめ所属グループ１３０１（後述）としてデータ登録して管理されている（後述）。
【００４４】
また、状態変化５０２は、構内交換機（ＰＢＸ）１００が通知対象の無線基地局に時刻情報データを配信する毎に１ずつインクリメントされる。つまり、時刻情報が無線基地局に配信されるたびに状態変化５０２の値が変化して行くものであり、本時刻情報通知リストの項目内容５０１および５０３〜５０７の変更または更新有無には関与しない。
【００４５】
さらに、メッセージ番号５０３は、時刻情報通知メッセージ（後述）を配信する、しないに関わらず、本時刻情報通知リストの項目内容５０１〜５０７を変更または更新する毎に１ずつインクリメントされる。つまり、時刻情報通知リスト項目の更新履歴を時刻情報管理部２０８で管理するために使用し、時刻情報通知メッセージを無線基地局に配信しても、しなくても、時刻情報通知リストの内容が更新されない限り同じ値となる。
【００４６】
ここで、状態変化５０２は、無線基地局１０１〜１０３およびＰＨＳ無線子機１０４〜１０５が時刻情報通知メッセージ（後述）で時刻情報データを受信した時に時刻情報の更新契機に使用するものであるが、状態変化５０２の値が一巡した場合でも、ＰＨＳ無線子機１０４〜１０５が最新の時刻情報を正確に更新できるようにするため、メッセージ番号５０３と併用して使用する。
【００４７】
メッセージ番号５０３は、通話中のＰＨＳ無線子機に対して通知する時刻情報通知メッセージ（後述）と、通話中以外（待受け状態）のＰＨＳ無線子機に対して通知する時刻情報通知メッセージ（後述）をＰＨＳ無線子機側で適用するかどうかを判定するための情報として使用されるものである。つまり、ＰＨＳ無線子機が通話から待受けの過程で同じメッセージを２回受信しないようにするものであり、後述する通話中の際に使用されるユーザ・ユーザ情報（Ｕｓｅｒ  Ｕｓｅｒ  Ｉｎｆｏｒｍａｔｉｏｎ）（以下、「ＵＵＩ」と称する）に格納されるメッセージ番号と同期している。
【００４８】
そして、時刻表示種別５０４は、通知する時刻情報が２４時間制表示か１２時間制表示かを示す情報が格納される。通知時刻情報５０５は、通知対象無線基地局５０１に登録された無線基地局に対して、具体的に通知する時刻情報が、西暦、年、月、日、曜日、時、分、秒として格納される。
【００４９】
さらに、時刻情報通知対象グループ５００は、場所的な管理以外に、個別に管理すべきＰＨＳ無線子機を常時管理するためにも用いることができ、その場合は、ＰＨＳ無線子機を識別する対象内線番号５０６の領域に個別に管理すべきＰＨＳ無線子機を任意にあらかじめ登録する。この対象内線番号５０６に登録されたＰＨＳ無線子機が通知対象無線基地局５０１に登録されている無線基地局のエリア外、例えば、他の無線基地局配下に存在している場合に、ＰＨＳ無線子機の通話終了時に、強制的に他の無線基地局経由で時刻情報通知メッセージを通知するときに使用するものである。
【００５０】
表示指示フラグ５０７は、通知対象無線基地局５０１に登録された無線基地局配下で、時刻情報通知対象グループ５００を所属グループ１３０１（後述）としてあらかじめ設定されている待受け状態のＰＨＳ無線子機と、当該無線基地局以外の無線基地局エリアで通話中の対象内線番号５０６に登録した該当するＰＨＳ無線子機に対して、通知した通知時刻情報５０５を強制的に画面表示させるための「表示強制」フラグ、画面表示を解除させるための「表示解除」フラグ、ＰＨＳ無線子機の設定状態によって画面表示の適用を任せるための「表示任意」フラグ、画面表示を非表示にするための「表示クリア」フラグを示す情報が格納される。
【００５１】
なお、前述のように、時刻情報通知対象グループ毎に格納される各情報は、全て保守用端末１０９から随時変更することができるようになっている。これにより、例えば、タイマー設定等である時刻毎に表示指示フラグ「表示強制／表示解除／表示任意／表示クリア」のみが更新される運用も可能になる。
【００５２】
具体的に、時刻情報通知対象グループ「００」は、無線基地局１〜３が通知対象無線基地局で、状態変化が「０」、メッセージ番号が「０」、時刻表示種別が「２４時間表示」、通知時刻情報が「２０ＡＡ年ＢＢ月ＣＣ日Ｄ曜日  ＥＥ時ＦＦ分ＧＧ秒」、対象内線番号が「無線子機全数」、表示指示フラグが「表示解除」という属性で管理されている。
【００５３】
これは、構内交換機（ＰＢＸ）１００が時刻情報通知メッセージを配信する場合、時刻表示種別５０４、通知時刻情報５０５、表示指示フラグ５０７の情報内容をピックアップし、時刻情報通知メッセージの情報要素にコーディングして、通知対象無線基地局である無線基地局１〜３に対して配信することを表している。また、通知対象無線基地局である無線基地局１〜３以外の無線基地局で通話中のＰＨＳ無線子機（ここでは対象内線番号５０６に登録された無線子機全数）に対して、通話切断時に本時刻情報通知メッセージを通知することを表している。
【００５４】
時刻情報通知対象グループ「０１」は無線基地局４〜１０が通知対象無線基地局で、状態変化が「１」、メッセージ番号が「０」、時刻表示種別が「２４時間表示」、通知時刻情報が「２０ＨＨ年ＩＩ月ＪＪ日Ｋ曜日  ＬＬ時ＭＭ分ＧＧ秒」、対象内線番号が「無線子機１〜１０」、表示指示フラグが「表示強制」という属性で管理されている。同様に時刻情報通知対象グループ「０２」〜「３１」には、個別に時刻情報通知リストとして格納され、管理されるものであり、この使用方法は、前述と同じである。
【００５５】
ここで、通知時刻情報５０５のうち、秒データは、全ての時刻情報通知対象グループ「００」〜「３１」において共通にすることにより、ＰＨＳ無線子機側のハードウェア個体の性能差分があっても、その誤差（ズレ量のバラつき）を小さくすることができる。
【００５６】
図６は、図1の無線通信システムにおいて構内交換機（ＰＢＸ）１００で保持、管理されている図５の時刻情報通知リストと時刻情報管理部２０８で管理して運用している時刻情報に基づいて、構内交換機（ＰＢＸ）１００から通知対象の無線基地局へ配信される時刻情報通知メッセージのコーディングの一例である。
【００５７】
オクテット１は、システム独自メッセージであることを示すプロトコル識別子６００、オクテット２および３は、本メッセージの呼番号長６０１と呼番号値６０２である。
オクテット４〜１４が、時刻情報通知メッセージの詳細である。オクテット４および５は、時刻情報通知メッセージであることを示すメッセージ種別６０３と事項情報要素の内容長６０４、オクテット６は表示指示フラグ６０５と通知対象グループ６０６、オクテット７は状態変化６０７とメッセージ番号６０８、オクテット８、９、１０には、各々年データ６０９、月データ６１０、日データ６１１、オクテット１１は時刻の表示形式を示す時刻表示種別６１２、曜日データ６１３、オクテット１２、１３、１４には各々時データ６１４、分データ６１５、秒データ６１６がそれぞれ格納される。
【００５８】
なお、時刻情報通知メッセージが通知対象の無線基地局に配信されるときは、構内交換機（ＰＢＸ）１００の時刻情報管理部２０８で管理して運用している各時刻情報が各々６０９〜６１６のデータに格納されて、配信されるものである。
【００５９】
図７は、図1の無線通信システムにおいて各無線基地局が保持する時刻情報通知リストの一例である。この時刻情報通知リストは、図６の時刻情報通知メッセージで各無線基地局の時刻情報受信処理部３１２が受信した時刻情報データを、各無線基地局の時刻情報保持部３１６に保持されるものである。
【００６０】
各無線基地局で管理される時刻情報通知リストは、時刻情報通知メッセージを構内交換機（ＰＢＸ）１００から正常に受信できたかを判断する受信処理ステータス７００と、時刻情報通知対象グループ７０１、状態変化７０２、メッセージ番号７０３、時刻表示種別７０４、通知時刻情報７０５、表示指示フラグ７０６で構成される。無線基地局の初期立上時など、時刻情報通知メッセージで受信した時刻情報データが無い場合は、受信処理ステータス７００を「初期状態」とし、以降の各情報は「不定」として管理される。
【００６１】
なお、構内交換機（ＰＢＸ）１００より新たな時刻情報通知メッセージを正常に受信した場合は、時刻情報保持部３１６の時刻情報通知リストが上書き更新される。
【００６２】
図８および図９は、図1の無線通信システムにおいて各無線基地局１０１〜１０３で管理されている図７の時刻情報通知リストと図６の時刻情報通知メッセージによって補正された無線基地局１０１〜１０３が時刻情報管理部３１３で管理して運用している時刻情報を基にして、無線基地局１０１〜１０３から通話中以外（待受け状態）のＰＨＳ無線子機１０４〜１０５へ無線で常時報知するＵＳＣＣＨ上で配信される時刻情報通知メッセージのコーディングの一例である。
【００６３】
ここで、無線基地局１０１〜１０３からＰＨＳ無線子機１０４〜１０５へ報知されるＵＳＣＣＨによって１回の送信で配信可能な情報量は、前述のＡＲＩＢ標準  ＲＣＲ  ＳＴＤ−２８の規定により８オクテットのため、ＰＨＳ無線子機１０４〜１０５の制御に使用する箇所以外の領域を有効に使用しなければならない。従って、時刻情報データをＰＨＳ無線子機１０４〜１０５に配信するために、１つの時刻情報通知メッセージを２つのＵＳＣＣＨ（第一フレームおよび第二フレーム）で送信する。
【００６４】
図８は、ＵＳＣＣＨの第一フレームのメッセージコーディングの一例である。オクテット１は、時刻情報メッセージであることを示す情報要素識別子８００、オクテット２は、秒データ８０１、オクテット３は、表示指示フラグ８０２とフレーム番号８０３と時刻情報通知対象グループ８０４、オクテット４、５、６には、各々年データ６０９、月データ６１０、日データ６１１、オクテット７は、状態変化がそれぞれ格納される。また、オクテット８には、ＲＣＲ  ＳＴＤ−２８規定の報知受信指示８０９が格納されて、時刻情報通知メッセージの第一フレームがＰＨＳ無線子機１０４〜１０５へ報知されることを示すものである。
【００６５】
図９は、ＵＳＣＣＨの第二フレームのメッセージコーディングの一例である。オクテット１は、時刻情報メッセージであることを示す情報要素識別子９００、オクテット２は、メッセージ番号９０１とフレーム番号９０３と時刻情報通知対象グループ９０３、オクテット３は、時刻の表示形式を示す時刻表示種別９０４と曜日データ９０５、オクテット４、５、６には、時データ９０６、分データ９０７、秒データ９０８、オクテット７は、状態変化がそれぞれ格納される。また、オクテット８には、ＲＣＲ  ＳＴＤ−２８規定の報知受信指示８０９が格納されて、時刻情報通知メッセージの第二フレームがＰＨＳ無線子機１０４〜１０５へ報知されることを示すものである。
【００６６】
ＵＳＣＣＨで報知されるこれらの時刻情報通知メッセージは、第一フレームと第二フレームが必ず対になってＰＨＳ無線子機１０４〜１０５へ報知される。従って、時刻情報通知メッセージを受信したＰＨＳ無線子機１０４〜１０５は、第一フレームおよび第二フレームの両方を連続して正常に受信したときのみ時刻情報データの内容を自身へ反映し、時刻情報通知メッセージの欠落や受信エラーにより第一フレームおよび第二フレームを連続して受信できなかった場合は、時刻情報通知メッセージそのものを破棄することで、誤情報の反映を防止するこができる。
【００６７】
また、図８の第一フレームのオクテット２と、図９の第二フレームのオクテット６に各々秒データ８０１、９０８が格納される理由は、無線基地局１０１〜１０３からＰＨＳ無線子機１０４〜１０５へ報知する際に秒データが変化することが発生しうるためである。  さらに、構内交換機（ＰＢＸ）１００から時刻情報通知メッセージが配信されることにより、状態変化８０８および９０９が１つずつインクリメントされるため、この状態変化８０８と９０９は同一の値となるが、無線基地局での更新および報知タイミングや、ＰＨＳ無線子機１０４〜１０５の受信エラー等により、状態変化８０８と９０９が非同一であれば、ＰＨＳ無線子機１０４〜１０５にてデータ異常と判断することができ、受信した時刻情報通知メッセージを破棄する。
【００６８】
図１０は、図１の無線通信システムにおいて構内交換機（ＰＢＸ）１００で管理されている時刻情報通知リスト内の対象内線番号５０６に該当する通話中のＰＨＳ無線子機１０４〜１０５に対して、個別に通知する場合の時刻情報通知メッセージのコーディングの一例である。この時刻情報通知メッセージは、呼制御メッセージの切断メッセージにユーザ・ユーザ情報（以下、ＵＵＩという。）で付加されるものである。
【００６９】
図１０で、オクテット１〜４は、呼制御メッセージの切断メッセージを示す情報群１０００、オクテット５〜９は、理由表示を示す情報群１００１、オクテット１０〜２１は、ＵＵＩの詳細を示す情報群１００２から構成されている。
【００７０】
このＵＵＩの詳細を示す情報群１００２において、オクテット１０は、ユーザ・ユーザ情報であることを示す情報要素識別子１００３、オクテット１１は、ユーザ・ユーザ情報内容長１００４、オクテット１２は、時刻情報通知メッセージであることを示すメッセージ種別１００５、オクテット１３は、メッセージ番号１００６とフレーム番号１００７と通知対象グループ１００８、オクテット１４、１５、１６は、各々年データ１００９、月データ１０１０、日データ１０１１、オクテット１７は、時刻表示種別１０１２と曜日データ１０１３、オクテット１８、１９、２０は、各々時データ１０１４、分データ１０１５、秒データ１０１６、オクテット２１は、状態変化１０１８と表示指示フラグ１０１８が、それぞれ格納される。
【００７１】
図１１は、図６の構内交換機（ＰＢＸ）から無線基地局への時刻情報通知メッセージならびに、図８、図９および図１０の無線基地局からＰＨＳ無線子機への時刻情報通知メッセージで配信される時刻情報データのメッセージコーディングの一例を示す。
【００７２】
ここで、年・月・日・時・分・秒データ１１００は、４ビット構成で「０」〜「９」の数字を、曜日データ１１０１は、３ビット構成で「日曜」〜「土曜」を定義し、時刻表示種別１１０２は、２ビット構成で「２４時間表示」、「１２時間表示ＡＭ」、「１２時間表示ＰＭ」を定義し、表示指示フラグ１１０３は、２ビット構成で「表示強制」、「表示解除」、「表示任意」、「表示クリア」を定義し、フレーム番号１１０４は、１ビット構成で「第一フレーム」、「第二フレーム」を定義し、状態変化１１０５は、３ビットで「０」〜「７」を定義し、メッセージ番号１１０６は、２ビット構成で「０」〜「３」を定義し、通知対象グループ１１０７は、５ビット構成で「全端末対象」、「対象グループ１」〜「対象グループ３１」を定義される。
【００７３】
図１２は、図１の無線通信システムにおいて構内交換機（ＰＢＸ）１００から時刻情報通知メッセージを受信し、通話中以外（待受け状態）のＰＨＳ無線子機１０４〜１０５へ時刻情報データ配信する無線基地局１０１〜１０３の動作を示したフローチャート図の一例である。
【００７４】
無線基地局１０１〜１０３は電源オン時１２００、構内交換機（ＰＢＸ）１００との通信回線制御が正常動作するか判断して、通信リンクを確立する１２０１。その後、無線基地局１０１〜１０３がデジタル伝送を行うためのタイミング生成に使用している内蔵クロックを基に、無線基地局１０１〜１０３独自で時刻の秒データのカウントを開始（ゼロスタート）し１２０２、無線基地局内蔵のクロックで時刻情報（００時００分００秒から開始）を生成し続ける１２１０。
【００７５】
その後、時刻情報通知リストの受信処理ステータス７００の値の判定を行う１２０３が、無線基地局１０１〜１０３が電源オン時や構内交換機（ＰＢＸ）１００から時刻情報通知メッセージ（図６）を一度も受信していない時は、無線基地局の時刻情報保持部３１６に保持している時刻情報が正しくない（不定）ため、受信処理ステータス７００が初期状態（１２０３のＹｅｓ）となり、無線側制御情報の間欠送信動作状態に移行し１２０６、運用状態となる。
【００７６】
ここで、本間欠送信動作中１２０６に、構内交換機（ＰＢＸ）１００から新たな時刻情報通知メッセージ（図６）を受信すると１２０７、無線基地局１０１〜１０３は受信した時刻情報データのコーディング内容を判定および解析し１２０８、受信データが異常な時（１２０８のＮｏ）は受信データを廃棄する１２１２。また、受信データが正常な時は（１２０８のＹｅｓ）、無線基地局１０１〜１０３の時刻情報通知リストの受信処理ステータス７００を「受信完了」に変更１２０９後、時刻情報通知リストの受信処理ステータス７００の値の判定処理１２０３をするとともに、時刻情報保持部３１６が保持する時刻情報通知リストを更新する１２１１。
【００７７】
その後、更新された時刻情報（１２１１は、無線基地局が保持する時刻情報通知リストの通知時刻情報７０５のうち、年／月／日／曜日／時／分／秒データが即時に秒データカウント（時刻情報生成）処理され１２１０、無線基地局が生成する時刻情報が、構内交換機（ＰＢＸ）１００から受信した時刻情報と一致し、時刻を生成し続けることになり、同時にＵＳＣＣＨでＰＨＳ無線子機１０４〜１０５へ送信する時刻情報をセットする１２０４。
【００７８】
また、上記で時刻情報通知リストの受信処理ステータス７００の値の判定において１２０３、受信処理ステータス７００が「初期状態」でないとき、すなわち「受信完了」のときは（１２０３のＮｏ）、ＵＳＣＣＨに時刻情報を図８および図９の時刻情報通知メッセージに格納する１２０４。このときに、その時点の秒データカウント１２１０のデータを取り込み、ＵＳＣＣＨの第一フレームおよび第二フレームとして送信し１２０５、無線側制御情報を間欠送信する動作に入る１２０６。
【００７９】
さらに、時刻情報通知メッセージ（図６）を１回でも受信した後は、電源オフしない限り、受信処理ステータス７００は「受信完了」のままなので、ＵＳＣＣＨを送信する毎に、無線基地局１０１〜１０３の秒データカウント１２１０）で生成され、その時点の時刻情報がリアルタイムで報知される。
【００８０】
なお、構内交換機（ＰＢＸ）１００から無線基地局に配信される時刻情報通知メッセージ（図６）は、構内交換機（ＰＢＸ）１００が保持、管理する時刻情報通知リスト（図５）の通知対象無線基地局５０１で通知対象の無線基地局を管理しているため、無線基地局への誤配信はない。
【００８１】
図１３は、図１の無線通信システムにおいてＰＨＳ無線子機１０４〜１０５が保持する時刻情報テーブルの一例である。この時刻情報テーブルは、無線基地局１０１〜１０３から、図８、図９および図１０の時刻情報通知メッセージで時刻情報受信処理部４１６が受信した時刻情報データを、ＰＨＳ無線子機１０４〜１０５の時刻情報保持部４１９に保持されるものである。
【００８２】
時刻情報テーブルは、図８および図９の時刻情報通知メッセージ（第一フレーム、第二フレーム）をＰＨＳ無線子機１０４〜１０５が採用するかどうかを有効に運用するために、各項目１３００と運用情報１３１３によって管理される。
【００８３】
項目１３００は、所属グループ１３０１、独自設定時刻有無１３０２、優先表示時刻１３０３、現在表示時刻１３０４、状態変化１３０５、メッセージ番号１３０６、表示指示フラグ１３０７、時刻表示種別１３０８、時刻種別１３０９で構成される。また、この時刻種別１３０９は、正規時刻１３１０（後述）、独自設定時刻１３１１（後述）、ダミー時刻１３１２（後述）で構成される。
【００８４】
ここで、所属グループ１３０１は、運用前にあらかじめＰＨＳ無線子機１０４〜１０５毎に設定・登録されるグループ番号で、前記の図５に示す構内交換機（ＰＢＸ）１００の時刻情報通知リストに管理される対象内線番号５０６に対応する時刻情報通知対象グループ５００と同じものである。なお、ＰＨＳ無線子機が属する所属グループ１３０１は、単独だけではなく、複数グループに属することができる。
【００８５】
独自設定時刻有無１３０２は、ＰＨＳ無線子機１０４〜１０５にユーザが設定した時刻情報の有無を管理し、優先表示時刻１３０３は時刻種別１３０９のうち優先的に画面に表示させる時刻の種類（正規時刻／独自設定時刻／ダミー時刻）を管理し、現在表示時刻１３０４は、ＰＨＳ無線子機１０４〜１０５の画面に現在表示している時刻種別（正規時刻／独自設定時刻／ダミー時刻）を管理している。
【００８６】
状態変化１３０５とメッセージ番号１３０６と表示指示フラグ１３０７と時刻表示種別１３０８は、図８、図９および図１０の時刻情報通知メッセージで配信される時刻情報データをそのまま管理する。
【００８７】
なお、ＰＨＳ無線子機内部では、ユーザが設定した時刻＝「正規時刻／独自設定時刻」、図８、図９および図１０の時刻情報通知メッセージで配信される時刻情報データ＝「ダミー時刻」として定義および管理して運用される。
【００８８】
そして、時刻種別１３０９のうち正規時刻１３１０およびダミー時刻１３１２は、無線基地局１０１〜１０３から受信した構内交換機（ＰＢＸ）１００システム内で統一管理される時刻であり、ＰＨＳ無線子機の時刻補正対象となり、独自設定時刻１３１１はユーザがＰＨＳ無線子機１０４〜１０５に設定する時刻で、無線基地局１０１〜１０３から時刻情報データを受信しても更新されることはない。また、この独自設定時刻１３１１と正規時刻１３１０を共用するようにＰＨＳ無線子機１０４〜１０５を設定することもできる。  
【００８９】
さらに、ダミー時刻１３１２は、時刻情報データを一時的に特有の場所でのみ運用する場合だけではなく、全ての場所で運用する場合には正規時刻１３１０として適用することができる時刻である。
【００９０】
また、この各時刻には、西暦・年・月・日・時・分・秒データがそれぞれ管理される（１３１５〜１３２１）。
【００９１】
図１４は、図１の無線通信システムにおいて時刻情報通知メッセージを受信する、通話中以外（待受け状態）のＰＨＳ無線子機１０４〜１０５の動作を示したフローチャート図の一例である。
【００９２】
ＰＨＳ無線子機１０４〜１０５は電源オン時１４００、自身の正常性を確認後に無線基地局１０１〜１０３との無線通信伝送を行うためのタイミング生成に使用している内蔵クロックを基に、ＰＨＳ無線子機１０４〜１０５独自で時刻の秒データのカウントを開始（ゼロスタート）し１４０１、ＰＨＳ無線子機内蔵のクロックで時刻情報（００時００分００秒から開始）を生成し続ける１４０２。このとき、時刻情報保持部４１９に時刻情報が残っている場合は、その時刻情報を基にして生成し続ける。
【００９３】
その後、待受ける無線基地局を検出すると、ＲＣＲ  ＳＴＤ−２８の規定に則って、無線基地局１０１〜１０３が報知する制御情報を受信して、バッテリーセービング周期で間欠受信動作状態（待受け状態）に遷移する１４０３。
【００９４】
この間欠受信動作時１４０３には、無線基地局１０１〜１０３から報知されるＵＳＣＣＨを受信することができるため、無線基地局１０１〜１０３から常時報知されるＵＳＣＣＨの第一フレームおよび第二フレームで受信した時刻情報データのコーディング内容を判定および解析し、時刻情報通知対象グループ（８０４および９０３）とＰＨＳ無線子機１０４〜１０５が時刻情報保持部４１９で管理している所属グループ１３０１を照合し、不一致の場合は（１４０５のＮｏ）、受信した時刻情報通知メッセージは対象外と判断して破棄１４１４し、間欠受信動作（待受け状態）に遷移する１４０３。逆に、一致している場合は（１４０５のＹｅｓ）、さらに状態変化（８０８および９０９）とＰＨＳ無線子機１０４〜１０５が時刻情報保持部４１９で管理している状態変化１３０５を照合する１４０６。
【００９５】
このとき、状態変化１３０５に更新がない場合は（１４０６のＮｏ）、受信した時刻情報通知メッセージは対象外と判断して破棄１４１５し、間欠受信動作（待受け状態）に遷移する１４０３。逆に、状態変化１３０５に更新ありと判断した場合は（１４０６のＹｅｓ）、受信した時刻情報通知メッセージをＰＨＳ無線子機が保持する時刻情報テーブル（図１３）に各々の情報内容を格納し、日付・時刻データを更新する１４０７。
【００９６】
なお、更新する時刻データは、ダミー時刻１３１２に格納すると同時に秒データ（８０１または９０８）は正規時刻／独自設定時刻の秒データにも共通で格納され、更新された時刻情報でＰＨＳ無線子機の秒データカウントが生成されることにより、時刻補正をすることができる。このことにより、無線基地局１０１〜１０３の時刻情報通知対象グループに属するＰＨＳ無線子機１０４〜１０５どうしの時刻情報の秒データのズレが無くなる。  また、ＰＨＳ無線子機１０４〜１０５は受信した時刻情報通知メッセージの表示指示フラグ８０２の内容に従って、画面表示する時刻を制御する。表示指示フラグ８０２が「表示強制」であれば（１４０９の強制）、格納した時刻データ（ダミー時刻）を画面に最優先で表示する処理１４１３を、表示指示フラグ８０２が「表示解除」であれば、（１４０９の解除）、ＰＨＳ無線子機の画面に表示中のダミー時刻のみを非表示にし（１４１０）、その後表示する時刻の有無はＰＨＳ無線子機１０４〜１０５の設定による動作１４１１を行い、間欠受信動作状態（待受け状態）１４０３に遷移する。ここで、ＰＨＳ無線子機１０４〜１０５の設定による動作１４１１として、ＰＨＳ無線子機１０４〜１０５が保持する時刻情報テーブル（図１３）の現在表示時刻１３０４が「ダミー時刻」以外（「正規時刻」、「独自設定時刻」）の場合は特に処理を行わない。つまり、表示中の時刻を継続表示する。
【００９７】
表示指示フラグ８０２が「表示任意」であれば（１４０９の任意）、前述の１４１１の動作を、表示指示フラグ８０２が「表示クリア」であれば（１４０９のクリア）、正規時刻および独自設定時刻、ダミー時刻の画面上への時刻表示そのものをしない動作を行い１４１２、間欠受信動作状態（待受け状態）１４０３に遷移する。
【００９８】
図１５は、構内交換機（ＰＢＸ）１００から無線基地局１０１〜１０３へ時刻情報データを送信し、無線基地局１０１〜１０３での処理および配下のＰＨＳ無線子機１０４〜１０５へ報知、ならびに報知された時刻情報データを受信したＰＨＳ無線子機１０４〜１０５が、この時刻情報データを処理してグループや表示フラグに従った動作を示したシーケンス図の一例である。
【００９９】
ＰＨＳ無線子機１０４〜１０５、無線基地局１０１〜１０３および構内交換機（ＰＢＸ）１００が電源オンにより運用状態に入ると、各々の装置内の内蔵クロックを基に時刻情報を独自に生成する（１５００、１５０１、１５０２）。
【０１００】
このとき、各装置間の時刻データは一致していないので時刻情報データを配信するために、まず、保守用端末１０９より構内交換機（ＰＢＸ）１００の時刻情報通知リスト（図５）を作成し、データを更新する１５０３。
【０１０１】
次に、更新した時刻情報通知リストを無線基地局１０１〜１０３に配信するために、状態変化５０２の値を１つインクリメントする処理をして１５０４、図６の時刻情報通知メッセージで各無線基地局１０１〜１０３に時刻情報データを配信する１５０５
無線基地局１０１〜１０３は、受信した時刻情報通知メッセージを解析して更新判定を行い１５０６、更新されていれば図７の無線基地局が保持する時刻情報通知リストを更新して無線基地局１０１〜１０３が独自に生成している時刻データを補正する１５０７。
【０１０２】
その後、更新した時刻情報通知リストをＰＨＳ無線子機１０４〜１０５に配信する処理を行い１５０８、図８および図９の時刻情報通知メッセージでＰＨＳ無線子機１０４〜１０５に時刻情報データを報知する（１５０９、１５１０）。ＰＨＳ無線子機１０１〜１０３は、受信した時刻情報通知メッセージを解析して図１３の時刻情報テーブルと比較して更新判定（判定方法は図１４による）を行い１５１１、更新されていれば図１３のＰＨＳ無線子機１０４〜１０５が保持する時刻情報テーブルを更新してＰＨＳ無線子機１０４〜１０５が独自に生成している時刻データを補正し１５１２、受信した時刻データの表示指示フラグ（８０２、１３０７）に従って、画面に時刻を表示または非表示を行う１５１２。
【０１０３】
この一連のシーケンスおよび処理により、構内交換機（ＰＢＸ）１００、無線基地局１０１〜１０３およびＰＨＳ無線子機１０４〜１０５の独自時刻（１５００、１５０１、１５０２）を一致させることができるとともに構内交換機（ＰＢＸ）１００配下のＰＨＳ無線子機１０４〜１０５の時刻情報を任意に指示することも可能となる。
【０１０４】
ここで、前記図１４で説明した通話中以外（待受け状態）ＰＨＳ無線子機１０４〜１０５のフローチャートにおいて、時刻情報通知メッセージを受信したＰＨＳ無線子機１０４〜１０５の画面表示の設定および画面表示に関する具体的な動作フローチャートの一例を図１６に示す。
【０１０５】
図１６で、ＰＨＳ無線子機１０４〜１０５が運用中状態１６００にあるとき、例えば構内交換機（ＰＢＸ）１００システム内の正規時刻が「２０１１年１１月１６日  （水）１０時３０分」で運用していた場合１６０１の例を挙げて説明する。
【０１０６】
ＰＨＳ無線子機１０４〜１０５は、ユーザによって時刻設定がされているか判断し１６０２、時刻設定がされていない（１６０２のＮｏ）場合は、時刻表示なし状態１６０３として、画面には例えば、「――――年――月――（――）、――時――分」と表示する１６０４。一方、時刻設定がされている（１６０２のＹｅｓ）場合はユーザによって入力１６０５された時刻情報（例えば「２０１１年１１月１６日（水）１０時２５分」１６０６）を「独自設定時刻１３１１」として格納する（１６０７）。
【０１０７】
その後、入力した時刻情報（独自設定時刻１３１１）を図８および図９の時刻情報通知メッセージを使用して補正するかどうかの設定を行い１６０８、補正する（１６０８のＹｅｓ）場合はこの独自設定時刻１３１１を正規時刻１３１０としても格納する１６０９。  また、補正しない（１６０８のＮｏ）場合は１６０９の処理を行わない。次に、画面上に優先して表示する優先表示時刻１３０３を時刻種別１３０９（独自設定時刻／正規時刻／ダミー時刻）から選択する１６１０。ここで、ダミー時刻を選択した時は、ダミー時刻１３１２が設定されているか判断し１６１１、設定されていれば（１６１１のＹｅｓ）ダミー時刻１３１２を表示し（１６１２、１６１３）、設定されていなければ（１６１１のＮｏ）時刻表示は行わない１６０３。なお、優先表示時刻選択１６１０で正規時刻を選択した時は、正規時刻１３１０を表示し（１６１４，１６１５）、独自設定時刻を選択した時は、独自設定時刻１３１１を表示（１６１６、１６１７）させる。
【０１０８】
その後、無線基地局１０１〜１０３から新たな時刻情報通知メッセージを受信した場合は、図１４の１４０５以降の処理を実施した後に「ダミー時刻１３１２」として格納する。
【０１０９】
図１７は、図１の無線通信システムにおいて通話中のＰＨＳ無線子機１０４〜１０５が通話終了後に通知される時刻情報通知メッセージを受信し格納する動作を示したフローチャート図の一例である。
【０１１０】
ＰＨＳ無線子機１０４〜１０５が通話中状態で１７００、通話終了時の切断処理を実施時１７０１に、構内交換機（ＰＢＸ）１００から通知される前述のＵＵＩに時刻情報通知メッセージがあるかどうかを判断し１７０２、時刻情報通知メッセージがない場合（１７０２のＮｏ）は待受け状態１７１３に遷移する。一方、時刻情報通知メッセージがある場合（１７０２のＹｅｓ）は、時刻情報通知メッセージ内の「状態変化」の値を解析し更新があるか判定する１７０４。更新がない場合（１７０４のＮｏ）は、待受け状態１７１３に遷移する。一方、更新がある場合（１７０４のＹｅｓ）は受信した時刻情報データを受信内容に従って処理を行う１７０４。
【０１１１】
図１７で１７０３〜１７１２の内容については、図１４の１４０５〜１４１３と同じため説明を省略する。
【０１１２】
また、表示指示フラグの判定１７０７により、各々の画面表示処理（１７０９、１７１０，１７１１）を行った後、待受け状態１７１３に移行する。このとき、図１４で説明した無線基地局検出動作を行うが、図１７で通知された時刻情報を更新し、その後、待受け状態で通知される時刻情報を連続して受信する場合が想定されるが、この不要な処理を防止するため、直前に受信した時刻情報通知メッセージを格納した時刻情報テーブル内の「メッセージ番号１３０６」と新たに受信した時刻情報通知メッセージ内のメッセージ番号９０１が異なっていればＰＨＳ無線子機１０４〜１０５の時刻情報を更新し、同一であれば更新を行わないという仕掛けを設けている。なお、通話終了の切断処理は、通話相手が行ってもよい。その場合も図１７と同様な動作となる。
【０１１３】
図１８および図１９は、図１７で説明した通話中のＰＨＳ無線子機１０４〜１０５に対する切断処理実施時のＰＨＳ無線子機１０４〜１０５と無線基地局１０１〜１０３と構内交換機１００との間の具体的なシーケンスの例である。
【０１１４】
図１８は、通話中にＰＨＳ無線子機１０４〜１０５主動で切断処理実施する場合のシーケンスの一例である。
【０１１５】
通話終了後、ＰＨＳ無線子機１０４〜１０５が切断処理１８０３をすると、無線基地局１０１〜１０３へ切断メッセージ（ＤＩＳＣｏｎｎｅｃｔ）（以下、「ＤＩＳＣ」と称する）が送信され１８０４、無線基地局１０１〜１０３から構内交換機１００へ切断メッセージ（ＤＩＳＣ）が送信される１８０５。構内交換機１００は、通話相手への切断処理を実施後、ＰＨＳ無線子機１０４〜１０５が図５の時刻情報通知リストに登録されている対象内線番号５０６か照合し１８０６、当該時刻情報通知リストに登録済みであれば、一義的に図１０の時刻情報通知メッセージを通信中の無線基地局１０１〜１０３へ配信するために時刻情報をＵＵＩで解放メッセージ（ＲＥＬｅａｓｅ）（以下、「ＲＥＬ」と称する）に付加して送信する１８０７。そして、無線基地局１０１〜１０３からＰＨＳ無線子機１０４〜１０５へ時刻情報通知メッセージがＵＵＩで付加されたまま解放メッセージ（ＲＥＬ）で送信される１８０８。
【０１１６】
なお、ＰＨＳ無線子機１０４〜１０５が受信した解放メッセージ（ＲＥＬ）に付加されているＵＵＩの時刻情報を解析し、ＰＨＳ無線子機１０４〜１０５は、受信した時刻情報通知メッセージを解析して図１３の時刻情報テーブルと比較して更新判定を行い１５１１、更新されていれば図１３のＰＨＳ無線子機が保持する時刻情報テーブルを更新してＰＨＳ無線子機１０４〜１０５が独自に生成している時刻データを補正する１８０９とともに、無線基地局１０１〜１０３へ解放完了メッセージ（ＲＥＬｅａｓｅ  ＣＯＭＰｌｅｔｅ）（以下、「ＲＥＬＣＯＭＰ」と称する）を送信し１８１０、無線基地局１０１〜１０３から構内交換機１００へ解放完了メッセージ（ＲＥＬＣＯＭＰ）が送信され１８１１、切断処理シーケンスが終了する。
【０１１７】
一方、図１９は、通話中にＰＨＳ無線子機１０４〜１０５の通話相手主動で切断処理実施する場合のシーケンスの一例である。
【０１１８】
通話終了後、通話相手が切断処理１９０３をすると、構内交換機１００はＰＨＳ無線子機１０４〜１０５が図５の時刻情報通知リストに登録されている対象内線番号５０６か照合し１９０４、一義的に図１０の時刻情報通知メッセージを通信中の無線基地局１０１〜１０３へ配信するために時刻情報をＵＵＩで切断メッセージ（ＤＩＳＣ）に付加して送信する１９０５。そして、無線基地局１０１〜１０３からＰＨＳ無線子機１０４〜１０５へ時刻情報通知メッセージがＵＵＩで付加されたまま切断メッセージ（ＤＩＳＣ）で送信される１９０６。
【０１１９】
なお、ＰＨＳ無線子機１０４〜１０５が受信した切断メッセージ（ＤＩＳＣ）に付加されているＵＵＩの時刻情報を解析し、ＰＨＳ無線子機１０１〜１０３は、受信した時刻情報通知メッセージを解析して図１３の時刻情報テーブルと比較して更新判定を行い１５１１、更新されていれば図１３のＰＨＳ無線子機が保持する時刻情報テーブルを更新してＰＨＳ無線子機１０４〜１０５が独自に生成している時刻データを補正する１９０７とともに、無線基地局１０１〜１０３へ解放メッセージ（ＲＥＬ）を送信し１９０８、無線基地局１０１〜１０３から構内交換機１００へ解放メッセージ（ＲＥＬ）が送信される１９０９。その後、構内交換機１００は無線基地局１０１〜１０３へ解放完了メッセージ（ＲＥＬＣＯＭＰ）を送信し１９１０、無線基地局１０１〜１０３からＰＨＳ無線子機１０４〜１０５へ解放完了メッセージ（ＲＥＬＣＯＭＰ）が送信され１９１１、切断処理シーケンスが終了する。
【０１２０】
本発明の具体的な適用例について、以下に説明する。
【０１２１】
図２０は、図１の無線通信システムを活用したもので、企業など業務部署が複数階（立体的空間）に存在するオフィスビル内の一例を表した図である。
【０１２２】
ここで３階フロア２０００は日本国内業務部署、２階フロア２００２は海外業務部署Ａ（ワシントン対応）、１階フロア２００４は海外業務部署Ｂ（南アフリカ対応）を表している。また、２００１、２００３、２００５は各階に設置された無線基地局１０１〜１０３から送出された電波が届く範囲（無線ゾーン）を模式的に表している。
【０１２３】
３階フロア２０００に設置された無線基地局１０１は、時刻情報通知対象グループ５００が「０１」、表示指示フラグ５０７が「表示強制」に設定された時刻情報をＵＳＣＣＨで常時報知している例である。
【０１２４】
ここでＰＨＳ無線子機１０４が無線基地局１０１の無線ゾーン２００１内に存在し、待受け状態であるとき、ＵＳＣＣＨを受信することができる。この受信したＵＳＣＣＨの時刻情報のうち、時刻情報通知対象グループ５００がＰＨＳ無線子機１０４にあらかじめ設定された所属グループ１３０１と一致するか照合し、一致する場合は受信しているＵＳＣＣＨの時刻情報を取り込み、表示部４１４の画面に表示させる。
【０１２５】
この動作により、ＰＨＳ無線子機１０４は当該３階フロア２０００に移動して来て、発着信等の呼接続制御を行うことなく、待受け状態のままで無線基地局１０１から常時報知される時刻情報を表示部４１４の画面に表示することができるものである。
【０１２６】
したがって、この場合、２階フロア２０００にいたＰＨＳ無線子機１０５が移動してきた場合でも、時刻情報通知対象グループ５００がＰＨＳ無線子機１０５にあらかじめ設定された所属グループ１３０１と一致すれば、強制的に無線基地局１０１が報知する時刻情報を受信して表示部４１４の画面に表示することにより、在圏している間は、全てのＰＨＳ無線子機の時刻情報を一致させることができるものである。
【０１２７】
本発明の利用シーンについて図２０のような立体的空間において、３階フロア２０００で運用していたＰＨＳ無線子機１０４を持ったまま階下のフロア（２階フロア２００２および１階フロア２００４）に移動して業務を行う場合の例を説明する。
【０１２８】
ＰＨＳ無線子機１０４は、３階フロア２０００で日本国内業務を通常的に実施している。但し、定期的な打合せや臨時業務により、２階フロア２００２でワシントンとの業務が発生した場合、現地ワシントンの時刻と同期することにより業務の効率が上がるが、ＰＨＳ無線子機の時刻表示をユーザ毎に設定し直したり、表示を切替える操作は煩わしい。また、当該フロアでの業務終了後、通常業務を行う３階フロア２０００に戻った場合も同様に時刻表示を戻す操作が必要になるという課題を解決するために、以下に具体例を示して説明する。
【０１２９】
まず、構内交換機（ＰＢＸ）１００には日本国内標準時刻とワシントン標準時刻並びに南アフリカ標準時刻が保守用端末１０９にて登録されており、無線基地局１０１には日本国内標準時刻を、無線基地局１０２にはワシントン標準時刻を、無線基地局１０３には南アフリカ標準時刻が配信され、各々無線基地局１０１〜１０３は電波で報知している。
【０１３０】
ここで、ＰＨＳ無線子機１０４は３階フロア２０００に存圏する場合、無線基地局１０１のＵＳＣＣＨを受信しており日本国内標準時刻を受信している。その後、２階フロア２００２に移動し、無線基地局１０１の電波が到達しなくなり、無線基地局１０２に待受けると、ＵＳＣＣＨで報知される時刻情報通知対象グループ５００が一致した場合に、ワシントンの時刻情報を受信してダミー時刻として記憶するとともに、ＰＨＳ無線子機１０４の表示部４１４の画面にワシントン時刻（ダミー時刻）を自動で表示する。
【０１３１】
また、その後、１階フロア２００４に移動した場合も同様に、無線基地局１０３のＵＳＣＣＨを受信し、時刻情報通知対象グループ５００に該当の場合は、正規時刻とは別に、南アフリカの時刻情報を受信してダミー時刻として記憶するとともに、ＰＨＳ無線子機１０４の表示部４１４の画面に南アフリカ時刻（ダミー時刻）を自動で表示することができる。
【０１３２】
一方、電話会議などで、無線基地局配下に存在せず、別の場所に存在するＰＨＳ無線子機１０４に対しては、構内交換機（ＰＢＸ）１００の特番ダイヤル等の設定により、当該ＰＨＳ無線子機１０４に着信を掛け、切断メッセージにＵＵＩで時刻情報を通知することにより、無線基地局配下にいなくても、同一の時刻情報を共有することができる。
【０１３３】
本発明を適用することによって、企業などで業務部署が複数階に存在（立体的空間）するオフィスビル内や、部署毎に壁やパーティション等で区切られた部屋において、例えば海外業務部署との連携（本店がロンドン、支店が東京の会社がある場合など）として、当該部署またはフロア内にＰＨＳ無線子機を持った人が入室することで、当該フロアの無線基地局の電波に待ち受けることにより、ＰＨＳ無線子機の時刻が自動的にロンドンの時間に切り替わる。これによって、相手側の時刻と同期して業務をスムーズに行うことが容易になる。
【０１３４】
図２１は、テーマパークなどの平面的空間に適用した一例を示した図である。
【０１３５】
具体例的に、ＰＨＳ無線子機を一般の入場者に貸し出して使用する場合について説明する。
【０１３６】
ここで２１００はテーマパークの敷地内全体を示し、本システムのサービスエリアを示している。この敷地内には、空間的に仕切られたアトラクションなどのブースＡ２１０８とブースＢ２１１５とブースＣ２１１９があり、ブースＡ２１０８内には、無線基地局２１１１と２１１３が設置され、ブースＢ２１１５内には、無線基地局２１１７が設置され、ブースＣ２１１９内には、無線基地局２１２１が設置されており、このブース外の敷地内２１００には、無線基地局２１０２と２００４と２１０６が設置されている
ここで、敷地内全般の無線基地局２１０２、２１０４、２１０６には、構内交換機（ＰＢＸ）１００システム正規時間（正規時刻）として「９時３０分１０秒」が、ブースＡの無線基地局２１１１、２１１３にはニューヨーク標準時刻（ダミー時刻）として「１０時３０分１０秒」が、ブースＢの無線基地局２１１７にはイタリア標準時刻（ダミー時刻）として「６時１０分１０秒」が、ブースＣの無線基地局２１２１には仮想国標準時刻（ダミー時刻）として「２３時４５分１０秒」が配信され、各々の無線基地局から時刻情報がＵＳＣＣＨで送信されている。
【０１３７】
本テーマパークの入場口２１０１から入場した一般ユーザに対して、ＰＨＳ無線子機１０４を貸し出すことにより、本敷地内のサービスエリアにてＰＨＳ無線子機１０４を使用することができる。さらに、ブース毎に、個別の標準時刻を設定することにより、ブース内のユーザはブース毎に設定されたダミー時刻でサービスを受けることができる。
【０１３８】
貸し出しするＰＨＳ無線子機１０４は、あらかじめ時刻情報テーブルの所属グループ１３０１を「００」に設定してある。また、構内交換機（ＰＢＸ）１００から通知される表示指示フラグ５０７は「表示強制」で運用することにより、移動してブース内に入場した時点でそのブースの時刻（ダミー時刻）をＰＨＳ無線子機１０４の画面に自動的に表示させることができる。
【０１３９】
ＰＨＳ無線子機１０４は、貸し出された入場口２１０１において、無線基地局２１０２の無線ゾーン２１０３の配下にいるため、無線基地局２１０２が報知する構内交換機（ＰＢＸ）１００システム正規時間である「９時３０分１０秒」が画面に表示される。次にブースＡ２１０８の入口２１０９を通ることにより、ＰＨＳ無線子機１０４が待受ける無線基地局が２１０２からブースＡ２１０８の無線基地局２１１１または２１１３に切り替わり、前述した図８および図９のＵＳＣＣＨの第一フレームと第二フレームを受信して、ブースＡのニューヨーク標準時刻である「１０時３０分１０秒」を自動で取り込み、画面に表示される。
【０１４０】
そして、ブースＡ２１０８の出口２１１０を出たＰＨＳ無線子機１０４は、待受ける無線基地局が２１１３から無線基地局２００４に切り替わるので、再び構内交換機（ＰＢＸ）１００システム正規時間に自動で切り替わり、画面に表示される。その後、同様にブースＢ２１１５内では、無線基地局２１１７が配信するイタリア標準時刻に、ブースＣ２１１９内では、無線基地局２１２１が配信する仮想国標準時刻に、ユーザの意識なしに自動で切り替わる。
【０１４１】
また、ＰＨＳ無線子機１０４の機能として、時刻情報が自動で切り替わることをユーザに認識させるようにすれば、例えば、ＰＨＳ無線子機１０４の画面に「時刻表示を変更しますか？」などを表示させたり、警告音などでユーザに聴取させたりすることにより、意図的に時刻情報の表示変更を認識させることで、ユーザの不安感を払拭することができ、各ブースでのアトラクションを楽しむことができる。さらに、アトラクションとダミー時刻を連携したサービスを提供することも可能となる。
【０１４２】
さらに、本発明の適用例として、放送局（テレビ局、ラジオ局などのマスメディア）において、海外中継時（日本ブースと海外ブース間）またはロケ地の現地スタッフに対して、日本時刻または現地時刻に統一することができ、生放送時の開始および終了時刻並びにＣＭ挿入時刻表示を共有することができるとともに、中継終了後は、自動的に正確な時刻に戻すことができる。
【０１４３】
また、国際博覧会などの各国ブースなどの展示会場内に本発明を適用すれば、区切られたエリア的に狭いブースに入ると、自動的にその国の時刻を表示となり、現地時刻により朝昼夜別のあいさつ言葉の使い分けを容易にできる。さらに、卸売市場や各種入札会場、ならびに講演会場でも同様にユーザの操作を伴うことなく、時刻情報の変更、戻しが実現でき、空間的に狭いエリアでの運用やその場所特有の時刻情報に伴う運用をユーザの介入なしで、リアルタイムに提供することができる。
【０１４４】
以上のように、本実施例では、無線基地局からＰＨＳ無線子機へ時刻情報通知メッセージを送信する際には、ＲＩＢ標準  ＲＣＲ  ＳＴＤ−２８で規定されたチャネルやメッセージであって、その規定によりユーザがオプションとして独自に使用できるチャネルやメッセージを適用して送信するようにしている。従って、通話状態ではないＰＨＳ無線子機に対して時刻情報を通知する場合に、無線基地局の制御情報であるＵＳＣＣＨで配信することで、不要な呼接続（発着信制御）による無線回線の利用を増やさないというメリットがある。また、通常の（汎用の）ＰＨＳ無線子機に何ら影響を与えることなく、単なる通話のみに使用するのであれば、汎用のＰＨＳ無線子機を本システムに使用することができるようにしている。
【０１４５】
本実施例を使用することにより、ダミー時刻は、無線基地局のうち、１台ずつ異なる時刻情報を配信することはもちろん、複数の無線基地局（例えばフロア単位や部署単位）をまとめて一つのダミー時刻を配信することが構内交換機（ＰＢＸ）上の設定で可能となり、ＰＨＳ無線子機が無線基地局の電波を受信するだけで、もしくは通話終了後に時刻情報を受信することにより、正規時刻とは異なるダミー時刻を通知させることができ、前述の発明の効果にある運用が可能になるものである。
【符号の説明】
【０１４６】
１００            構内交換機（ＰＢＸ）
１０１〜１０３    無線基地局
１０４〜１０５    ＰＨＳ無線子機
１０６            公衆網
１０７            専用線網
１０８            内線電話機
１０９            保守用端末
２０８            構内交換機（ＰＢＸ）の時刻情報管理部
２０９            構内交換機（ＰＢＸ）の時刻情報配信部
２１０            構内交換機（ＰＢＸ）の時刻情報保持部
３１２            無線基地局の時刻情報受信処理部
３１３            無線基地局の時刻情報管理部
３１４            無線基地局の時刻情報配信処理部
３１６            無線基地局の時刻情報保持部
４１６            ＰＨＳ無線子機の時刻情報受信処理部
４１７            ＰＨＳ無線子機の時刻情報管理部
４１８            ＰＨＳ無線子機の時刻情報保持部
【図１】
0005639982.tif 000002
【図２】
0005639982.tif 000003
【図３】
0005639982.tif 000004
【図４】
0005639982.tif 000005
【図５】
0005639982.tif 000006
【図６】
0005639982.tif 000007
【図７】
0005639982.tif 000008
【図８】
0005639982.tif 000009
【図９】
0005639982.tif 000010
【図１０】
0005639982.tif 000011
【図１１】
0005639982.tif 000012
【図１２】
0005639982.tif 000013
【図１３】
0005639982.tif 000014
【図１４】
0005639982.tif 000015
【図１５】
0005639982.tif 000016
【図１６】
0005639982.tif 000017
【図１７】
0005639982.tif 000018
【図１８】
0005639982.tif 000019
【図１９】
0005639982.tif 000020
【図２０】
0005639982.tif 000021
【図２１】
0005639982.tif 000022